(57)【要約】【課題】コンテンツ毎にユーザの好みにより適した音声調整を行うことが可能な音響装置を提供する。【解決手段】このＡＶレシーバ１０（音響装置）は、複数のスピーカ３１〜３６に対してコンテンツの音声信号を出力可能なスピーカ端子部３と、複数のスピーカ３１〜３６のそれぞれから出力される音声を個別に調整可能な制御部７とを備え、制御部７は、ユーザの操作に基づいて、コンテンツの再生中に複数のスピーカ３１〜３６の音声を個別に調整するための音声調整画面４１をテレビ４０に表示させる制御を行うように構成されている。【選択図】図２
2013183275.tif 000002
【特許請求の範囲】
【請求項１】
複数のスピーカに対してコンテンツの音声信号を出力可能な音声出力部と、
前記複数のスピーカのそれぞれから出力される音声を個別に調整可能な制御部とを備え、
前記制御部は、ユーザの操作に基づいて、前記コンテンツの再生中に前記複数のスピーカの音声を個別に調整するための音声調整画面を表示部に表示させる制御を行うように構成されている、音響装置。
【請求項２】
前記制御部は、前記音声調整画面において前記複数のスピーカのうちの音声調整対象のスピーカを順に識別可能な態様で前記表示部に表示させながら、ユーザの操作に基づいて前記識別可能な態様で表示されたスピーカの音声を順に個別に調整するように構成されている、請求項１に記載の音響装置。
【請求項３】
前記制御部は、前記音声調整画面において前記複数のスピーカの配置状態を前記表示部に表示させながら、ユーザの操作に基づいて前記複数のスピーカの音声を個別に調整するように構成されている、請求項１または２に記載の音響装置。
【請求項４】
ユーザの操作に基づいて、前記複数のスピーカのそれぞれに対する音声調整指示信号を送信可能なリモコンをさらに備え、
前記制御部は、前記コンテンツの再生中に、ユーザの操作により前記リモコンから送信される前記音声調整指示信号に基づいて前記複数のスピーカの音声を個別に調整するように構成されている、請求項１〜３のいずれか１項に記載の音響装置。
【請求項５】
前記制御部は、ユーザの操作に基づいて、前記コンテンツの再生中に前記音声調整画面を前記表示部に表示される前記コンテンツの映像に重ねて表示させる制御を行うように構成されている、請求項１〜４のいずれか１項に記載の音響装置。
【請求項６】
前記音声出力部は、サラウンド音声に対応した前記複数のスピーカに対して音声信号を出力可能に構成されており、
前記制御部は、ユーザの操作に基づいて、前記コンテンツの再生中に前記サラウンド音声に対応した複数のスピーカの音声を個別に調整するように構成されている、請求項１〜５のいずれか１項に記載の音響装置。
【請求項７】
前記表示部は、外部の表示装置を含み、
前記制御部は、ユーザの操作に基づいて、前記コンテンツの再生中に、前記コンテンツの映像を表示する前記外部の表示装置に前記音声調整画面を表示させる制御を行うように構成されている、請求項１〜６のいずれか１項に記載の音響装置。
【請求項８】
前記制御部は、ユーザの操作に基づいて、前記コンテンツの再生中に前記複数のスピーカの少なくとも音量を個別に調整するように構成されている、請求項１〜７のいずれか１項に記載の音響装置。
【請求項９】
コンテンツの映像を表示可能な表示装置と、
前記表示装置に接続可能な音響装置とを備え、
前記音響装置は、
複数のスピーカに対してコンテンツの音声信号を出力可能な音声出力部と、
前記複数のスピーカのそれぞれから出力される音声を個別に調整可能な制御部とを含み、
前記制御部は、ユーザの操作に基づいて、前記コンテンツの再生中に前記複数のスピーカの音声を個別に調整するための音声調整画面を前記表示装置に表示させる制御を行うように構成されている、音響システム。
【発明の詳細な説明】
【技術分野】
【０００１】
この発明は、音響装置および音響システムに関し、特に、複数のスピーカに音声信号を出力可能な音響装置および音響システムに関する。
【背景技術】
【０００２】
従来、複数のスピーカに音声信号を出力可能な音響装置が知られている（たとえば、特許文献１参照）。
【０００３】
上記特許文献１に記載の音響装置は、スピーカの構成に基づく複数のパターン番号と、スピーカ毎の音量や音質が個別に設定された複数のスピーカ設定情報とを互いに関連付けて記憶している。そして、この音響装置では、ユーザにより複数のパターン番号の中から１つのパターン番号が選択されることにより、選択されたパターン番号に関連付けられたスピーカ設定情報に基づいて複数のスピーカの音声調整が行われる。これにより、ユーザは、実際のスピーカの構成に応じた１つのパターン番号を選択するだけで容易にスピーカの音声調整を行うことが可能である。
【先行技術文献】
【特許文献】
【０００４】
【特許文献１】特開２００５−１２５３４号公報
【発明の概要】
【発明が解決しようとする課題】
【０００５】
しかしながら、上記特許文献１の音響装置では、ユーザがスピーカの音声調整を容易に行うことが可能である一方、再生するコンテンツの内容にかかわらず、予め登録されたスピーカ設定情報に基づいてスピーカの音声調整が一律に行われるので、コンテンツによってはユーザの好みからずれた音声調整となってしまう場合があるという問題点がある。
【０００６】
この発明は、上記のような課題を解決するためになされたものであり、この発明の１つの目的は、コンテンツ毎にユーザの好みにより適した音声調整を行うことが可能な音響装置および音響システムを提供することである。
【課題を解決するための手段】
【０００７】
この発明の第１の局面による音響装置は、複数のスピーカに対してコンテンツの音声信号を出力可能な音声出力部と、複数のスピーカのそれぞれから出力される音声を個別に調整可能な制御部とを備え、制御部は、ユーザの操作に基づいて、コンテンツの再生中に複数のスピーカの音声を個別に調整するための音声調整画面を表示部に表示させる制御を行うように構成されている。
【０００８】
この発明の第１の局面による音響装置では、上記のように、ユーザの操作に基づいて、コンテンツの再生中に複数のスピーカの音声を個別に調整するための音声調整画面を表示部に表示させる制御を行うように制御部を構成することによって、ユーザは、コンテンツの音声を聞きながら音声調整画面を用いて各スピーカの音声調整を個別に行うことができるので、コンテンツ毎にユーザの好みにより適した音声調整を行うことができる。また、コンテンツの再生中に複数のスピーカの音声を個別に調整することができるので、複数のスピーカの音声を個別に調整するためにコンテンツの再生を途中で停止させる必要がない。
【０００９】
上記第１の局面による音響装置において、好ましくは、制御部は、音声調整画面において複数のスピーカのうちの音声調整対象のスピーカを順に識別可能な態様で表示部に表示させながら、ユーザの操作に基づいて識別可能な態様で表示されたスピーカの音声を順に個別に調整するように構成されている。このように構成すれば、ユーザは、コンテンツの再生中に、識別可能な態様で表示される順序に沿って各スピーカの音声調整を行うことができるので、容易に、コンテンツ毎にユーザの好みにより適した音声調整を行うことができる。
【００１０】
上記第１の局面による音響装置において、好ましくは、制御部は、音声調整画面において複数のスピーカの配置状態を表示部に表示させながら、ユーザの操作に基づいて複数のスピーカの音声を個別に調整するように構成されている。このように構成すれば、ユーザは、コンテンツの再生中に、表示部に表示された複数のスピーカの配置状態を視覚的に確認しながら各スピーカの音声調整を行うことができるので、容易に、コンテンツ毎にユーザの好みにより適した音声調整を行うことができる。
【００１１】
上記第１の局面による音響装置において、好ましくは、ユーザの操作に基づいて、複数のスピーカのそれぞれに対する音声調整指示信号を送信可能なリモコンをさらに備え、制御部は、コンテンツの再生中に、ユーザの操作によりリモコンから送信される音声調整指示信号に基づいて複数のスピーカの音声を個別に調整するように構成されている。このように構成すれば、ユーザは、コンテンツの再生中に、実際にコンテンツの音声を聞く位置（リスニングポイント）に居ながらリモコンを用いて各スピーカの音声調整を行うことができるので、ユーザの好みに適した音声調整を実際のリスニングポイントに合わせて精度よく行うことができる。
【００１２】
上記第１の局面による音響装置において、好ましくは、制御部は、ユーザの操作に基づいて、コンテンツの再生中に音声調整画面を表示部に表示されるコンテンツの映像に重ねて表示させる制御を行うように構成されている。このように構成すれば、ユーザは、表示部に表示されるコンテンツの映像を継続して見ながら、音声調整画面を用いて各スピーカの音声調整を行うことができる。
【００１３】
上記第１の局面による音響装置において、好ましくは、音声出力部は、サラウンド音声に対応した複数のスピーカに対して音声信号を出力可能に構成されており、制御部は、ユーザの操作に基づいて、コンテンツの再生中にサラウンド音声に対応した複数のスピーカの音声を個別に調整するように構成されている。なお、サラウンド音声とは、ステレオ（２．０ｃｈ）よりも多いチャンネル（２．１ｃｈ以上）を有する音声である。このように構成すれば、ユーザがコンテンツの音声をサラウンド音声で聞く場合でも、コンテンツ毎にユーザの好みにより適した音声調整を行うことができる。
【００１４】
上記第１の局面による音響装置において、好ましくは、表示部は、外部の表示装置を含み、制御部は、ユーザの操作に基づいて、コンテンツの再生中に、コンテンツの映像を表示する外部の表示装置に音声調整画面を表示させる制御を行うように構成されている。このように構成すれば、ユーザは、映像が表示される視認性に優れた外部の表示装置に表示される音声調整画面を用いてコンテンツ毎にユーザの好みにより適した音声調整を容易に行うことができる。
【００１５】
上記第１の局面による音響装置において、好ましくは、制御部は、ユーザの操作に基づいて、コンテンツの再生中に複数のスピーカの少なくとも音量を個別に調整するように構成されている。このように構成すれば、ユーザは、コンテンツの音声を聞きながら各スピーカの音量を個別に調整して再生中のコンテンツにより適した音声にすることができる。
【００１６】
この発明の第２の局面による音響システムは、コンテンツの映像を表示可能な表示装置と、表示装置に接続可能な音響装置とを備え、音響装置は、複数のスピーカに対してコンテンツの音声信号を出力可能な音声出力部と、複数のスピーカのそれぞれから出力される音声を個別に調整可能な制御部とを含み、制御部は、ユーザの操作に基づいて、コンテンツの再生中に複数のスピーカの音声を個別に調整するための音声調整画面を表示装置に表示させる制御を行うように構成されている。
【００１７】
この発明の第２の局面による音響システムでは、上記のように、ユーザの操作に基づいて、コンテンツの再生中に複数のスピーカの音声を個別に調整するための音声調整画面を表示装置に表示させる制御を行うように制御部を構成することによって、ユーザは、コンテンツの音声を聞きながら表示装置に表示された音声調整画面を用いて各スピーカの音声調整を個別に行うことができるので、コンテンツ毎にユーザの好みにより適した音声調整を行うことができる。また、コンテンツの再生中に複数のスピーカの音声を個別に調整することができるので、複数のスピーカの音声を個別に調整するためにコンテンツの再生を途中で停止させる必要がない。
【発明の効果】
【００１８】
本発明によれば、上記のように、コンテンツ毎にユーザの好みにより適した音声調整を行うことができる。
【図面の簡単な説明】
【００１９】
【図１】本発明の一実施形態による音響システムの全体の構成を示したブロック図である。
【図２】本発明の一実施形態による音響システムの音声調整処理を示したフローチャートである。
【図３】本発明の一実施形態による音響システムの音声調整処理を示したフローチャートである。
【図４】本発明の一実施形態による音響システムの音声調整画面を示した図である。
【図５】本発明の一実施形態による音響システムの音声調整画面においてＦＬスピーカを強調表示した状態を示した図である。
【図６】本発明の一実施形態による音響システムの音声調整画面においてＣスピーカを強調表示した状態を示した図である。
【図７】本発明の一実施形態による音響システムの音声調整画面においてＳｗｆスピーカを強調表示した状態を示した図である。
【図８】本発明の一実施形態による音響システムの音声調整画面において全てのスピーカを強調表示した状態を示した図である。
【図９】本発明の一実施形態の変形例による音響システムの音声調整画面を示した図である。
【発明を実施するための形態】
【００２０】
以下、本発明の実施形態を図面に基づいて説明する。
【００２１】
図１を参照して、本発明の一実施形態による音響システム１００の構成について説明する。
【００２２】
本実施形態による音響システム１００は、ＡＶレシーバ１０と、ＢＤ（Ｂｌｕ−ｒａｙ  Ｄｉｓｃ）プレーヤ２０と、複数のスピーカ３１〜３６と、テレビ４０とを備えている。ＡＶレシーバ１０は、ＢＤプレーヤ２０などの外部機器により再生されるコンテンツの映像をテレビ４０などの表示装置に表示させるとともに、そのコンテンツの音声を複数のスピーカ３１〜３６に出力させる機能を有している。また、ＡＶレシーバ１０は、コンテンツの再生中に、ＡＶレシーバ１０に接続された複数のスピーカ３１〜３６の音声調整を個別に行うことが可能に構成されている。また、ＡＶレシーバ１０は、入力端子部１と、出力端子部２と、スピーカ端子部３と、表示部４と、ＯＳＤ（Ｏｎ−Ｓｃｒｅｅｎ  Ｄｉｓｐｌａｙ）信号生成部５と、リモコン受信部６と、制御部７とを備えている。なお、ＡＶレシーバ１０は、本発明の「音響装置」の一例であり、スピーカ端子部３は、本発明の「音声出力部」の一例である。また、テレビ４０は、本発明の「表示部」および「表示装置」の一例である。
【００２３】
入力端子部１は、ＨＤＭＩ（登録商標）、ＡＵＸおよびＣｏａｘｉａｌに対応している。ＡＶレシーバ１０は、入力端子部１を介して外部機器から音声信号および映像信号を入力可能に構成されている。
【００２４】
出力端子部２は、ＨＤＭＩ、ＣＯＭＰＯＳＩＴＥおよびＣＯＭＰＯＮＥＮＴに対応している。ＡＶレシーバ１０は、出力端子部２を介して外部機器に音声信号および映像信号を出力可能に構成されている。
【００２５】
スピーカ端子部３は、複数のスピーカ３１〜３６を接続可能に構成されている。具体的には、スピーカ端子部３には、Ｆｒｏｎｔ−Ｌ端子３ａ、Ｆｒｏｎｔ−Ｒ端子３ｂ、Ｃｅｎｔｅｒ端子３ｃ、Ｓｕｒｒｏｕｎｄ−Ｌ端子３ｄ、Ｓｕｒｒｏｕｎｄ−Ｒ端子３ｅおよびＳｕｂｗｏｏｆｅｒ端子３ｆが設けられている。Ｆｒｏｎｔ−Ｌ端子３ａ、Ｆｒｏｎｔ−Ｒ端子３ｂ、Ｃｅｎｔｅｒ端子３ｃ、Ｓｕｒｒｏｕｎｄ−Ｌ端子３ｄ、Ｓｕｒｒｏｕｎｄ−Ｒ端子３ｅおよびＳｕｂｗｏｏｆｅｒ端子３ｆは、それぞれ、前方左側に配置されるＦＬスピーカ３１、前方右側に配置されるＦＲスピーカ３２、中央に配置されるＣスピーカ３３、後方左側に配置されるＳＬスピーカ３４、後方右側に配置されるＳＲスピーカ３５およびサブウーファー（Ｓｗｆ）スピーカ３６が接続されるように構成されている。また、スピーカ端子部３は、入力端子部１を介して入力されたコンテンツの音声信号を、５．１ｃｈのサラウンド音声に対応した複数のスピーカ３１〜３６に出力可能に構成されている。
【００２６】
表示部４は、ＡＶレシーバ１０の起動状態や現在時刻を表示するためにＡＶレシーバ１０の外側表面に設けられている。ＯＳＤ信号生成部５は、出力端子部２に接続されたテレビ４０などの外部機器に表示させるＯＳＤ画像を生成する機能を有している。ＯＳＤ画像は、外部機器で表示される映像に重ねて表示される画像であり、外部機器で表示される映像が視認可能なように半透明で重ねて表示される。リモコン受信部６は、ユーザの操作によりリモコン５０から送信される信号を受信可能に構成されている。リモコン５０には、十字操作ボタン５１やボリュームボタン５２など、複数の操作ボタンが設けられている。また、リモコン５０には、複数のスピーカ３１〜３６のそれぞれから出力される音声を個別に調整するためのスピーカボタン５３が設けられている。
【００２７】
制御部７は、ＣＰＵからなり、図示しないコンピュータプログラムを実行することによりＡＶレシーバ１０全体の動作を制御するように構成されている。また、制御部７は、ユーザの操作に基づいて、後述する音声調整処理を実行するように構成されている。また、制御部７は、コンテンツの再生中に、スピーカ端子部３に接続された複数のスピーカ３１〜３６のそれぞれから出力される音声を個別に調整可能に構成されている。具体的には、制御部７は、ユーザの操作に基づいて、スピーカ端子部３の各端子３ａ〜３ｆから出力される音声信号のゲインを調整して複数のスピーカ３１〜３６の音量を調整する。
【００２８】
次に、図１〜図８を参照して、本実施形態によるＡＶレシーバ１０の制御部７により実行される音声調整処理について説明する。ここでは、図１に示すように、ＢＤプレーヤ２０により再生中のコンテンツの映像がテレビ４０に表示されているとともに、そのコンテンツの音声が５．１ｃｈのサラウンド音声に対応した複数のスピーカ３１〜３６から出力されている場合について説明する。
【００２９】
まず、ステップＳ１において、制御部７は、ＢＤプレーヤ２０によるコンテンツの再生中に、ユーザによりリモコン５０のスピーカボタン５３が押下されたか否かを判断し、スピーカボタン５３が押下されるまでこの判断を繰り返す。ユーザは、ＢＤプレーヤ２０によるコンテンツを視聴している際に、スピーカボタン５３を押下することによってコンテンツを視聴しながら複数のスピーカ３１〜３６の音声調整を行うことが可能である。
【００３０】
スピーカボタン５３が押下されると、制御部７は、ステップＳ２において、図４に示すように、複数のスピーカ３１〜３６の音声を個別に調整するための音声調整画面４１をテレビ４０に表示させる制御を行う。具体的には、制御部７は、ＯＳＤ信号生成部５により生成されたＯＳＤ画面からなる音声調整画面４１を、テレビ４０に表示されている再生中のコンテンツの映像に重ねて表示させる。この際、ＯＳＤ画面からなる音声調整画面４１が半透明で構成されているので、ユーザは音声調整画面４１を透かして再生中のコンテンツの映像を継続して見ることが可能である。
【００３１】
また、音声調整画面４１には、複数のスピーカ３１〜３６の配置状態が複数のスピーカ３１〜３６に対応するアイコン３１ａ〜３６ａにより示されている。すなわち、テレビ４０の画面の上部を前方とした場合における複数のスピーカ３１〜３６の概略的な配置図が示されている。また、各アイコン３１ａ〜３６ａ上には、対応するスピーカから出力される音量を示す数値（ボリューム値）が表示される。
【００３２】
その後、制御部７は、ステップＳ３において、スピーカボタン５３が再度押下されたか否かを判断する。押下されない場合には、ステップＳ４において、音声調整画面４１が表示されてから所定時間（たとえば、５秒）が経過したか否かを判断し、所定時間が経過した場合には、そのまま音声調整処理を終了する。これにより、ユーザがスピーカボタン５３を誤って押下してしまった場合でも、音声調整処理を速やかに自動的に終了させることができる。
【００３３】
一方、所定時間が経過する前にスピーカボタン５３が押下された場合には、ステップＳ５において、制御部７は、図５に示すように、音声調整画面４１において、前方左側に配置されるＦＬスピーカ３１のアイコン３１ａを強調表示させる。そして、制御部７は、ステップＳ６において、音声調整指示があったか否かを判断する。具体的には、制御部７は、ユーザの操作によりリモコン５０から送信される音声調整信号がリモコン受信部６により受信されたか否かを判断する。ユーザは、リモコン５０のボリュームボタン５２を操作することによって、対応するスピーカの音量を任意に調整することが可能である。ユーザによりボリュームボタン５２が操作されると、操作に対応する音声調整信号がリモコン５０から送信される。
【００３４】
リモコン受信部６により音声調整信号が受信されると、ステップＳ７において、制御部７は、ユーザの操作結果に基づいてＦＬスピーカ３１の音声調整を行う。たとえば、ユーザがＦＬスピーカ３１のボリューム値を図４に示す「３５」の状態から大きくする操作をした場合には、図５に示すように、ＦＬスピーカ３１のボリューム値がユーザの操作結果に基づいて「４０」に調整される。
【００３５】
そして、制御部７は、ステップＳ８において、ユーザによりスピーカボタン５３が押下されたか否かを判断し、押下されない場合には、ステップＳ６に戻る。スピーカボタン５３が押下されると、ステップＳ９において、制御部７は、図６に示すように、音声調整画面４１において、中央に配置されるＣスピーカ３３のアイコン３３ａを強調表示させる。そして、制御部７は、ステップＳ１０において、音声調整指示があったか否かを判断し、音声調整指示があった場合には、ステップＳ１１において、ユーザの操作結果に基づいてＣスピーカ３３の音声調整を行う。制御部７は、ユーザによりスピーカボタン５３が再度押下されるまで、ステップＳ１０〜Ｓ１２の動作を繰り返す。
【００３６】
スピーカボタン５３が押下されると、前方右側に配置されるＦＲスピーカ３２、後方右側に配置されるＳＲスピーカ３５、後方左側に配置されるＳＬスピーカ３４、および、Ｓｗｆスピーカ３６のそれぞれについて、上記のＦＬスピーカ３１およびＣスピーカ３３の場合と同様に、ステップＳ１３〜２７において、図７に示すように、音声調整対象のスピーカに対応するアイコン３２ａ、３５ａ、３４ａおよび３６ａを順に識別可能に強調表示させながら音声調整を行う。このように制御部７は、ユーザの操作に基づいて、複数のスピーカ３１〜３６の音声を順に個別に調整する。
【００３７】
そして、Ｓｗｆスピーカ３６の音声調整が行われた後、ステップＳ２８でスピーカボタン５３が押下されると、制御部７は、ステップＳ２９において、図８に示すように、スピーカ３１〜３６のそれぞれに対応するアイコン３１ａ〜３６ａの全てを識別可能に強調表示させる。これにより、全てのスピーカ３１〜３６の音声が一律に調整可能な状態になる。制御部７は、ステップＳ３０において、ユーザの操作に基づく音声調整指示があったか否かを判断する。音声調整指示があると、ステップＳ３１において、ユーザの操作結果に基づいて全てのスピーカ３１〜３６の音量を一律に調整して全体の音量を上げ下げする。この際、スピーカ３１〜３６のボリューム値を一律に同じ値だけ変化させてもよいし、スピーカ３１〜３６の互いのボリューム値の比率を一定に保ったまま変化させてもよい。そして、ステップＳ３２において、ユーザによりスピーカボタン５３が押下されると、ステップＳ３３において、音声調整画面４１のＯＳＤ表示を停止する制御を行って音声調整処理を終了する。
【００３８】
本実施形態では、上記のように、ユーザの操作に基づいて、コンテンツの再生中に複数のスピーカ３１〜３６の音声を個別に調整するための音声調整画面４１をテレビ４０に表示させる制御を行うように制御部７を構成することによって、ユーザは、コンテンツの音声を聞きながら音声調整画面４１を用いて各スピーカの音声調整を個別に行うことができるので、コンテンツ毎にユーザの好みにより適した音声調整を行うことができる。また、コンテンツの再生中に複数のスピーカ３１〜３６の音声を個別に調整することができるので、複数のスピーカ３１〜３６の音声を個別に調整するためにコンテンツの再生を途中で停止させる必要がない。
【００３９】
また、本実施形態では、音声調整画面４１において複数のスピーカ３１〜３６のうちの音声調整対象のスピーカを順に識別可能な態様でテレビ４０に表示させながら、ユーザの操作に基づいて識別可能な態様で表示されたスピーカの音声を順に個別に調整するように制御部７を構成する。これにより、ユーザは、コンテンツの再生中に、識別可能な態様で表示される順序に沿って各スピーカの音声調整を行うことができるので、容易に、コンテンツ毎にユーザの好みにより適した音声調整を行うことができる。
【００４０】
また、本実施形態では、音声調整画面４１において複数のスピーカ３１〜３６の配置状態をテレビ４０に表示させながら、ユーザの操作に基づいて複数のスピーカ３１〜３６の音声を個別に調整するように制御部７を構成する。これにより、ユーザは、コンテンツの再生中に、テレビ４０に表示された複数のスピーカ３１〜３６の配置状態を視覚的に確認しながら各スピーカの音声調整を行うことができるので、容易に、コンテンツ毎にユーザの好みにより適した音声調整を行うことができる。
【００４１】
また、本実施形態では、コンテンツの再生中に、ユーザの操作によりリモコン５０から送信される音声調整指示信号に基づいて複数のスピーカ３１〜３６の音声を個別に調整するように制御部７を構成する。これにより、ユーザは、コンテンツの再生中に、実際にコンテンツの音声を聞く位置（リスニングポイント）に居ながらリモコン５０を用いて各スピーカの音声調整を行うことができるので、ユーザの好みに適した音声調整を実際のリスニングポイントに合わせて精度よく行うことができる。
【００４２】
また、本実施形態では、ユーザの操作に基づいて、コンテンツの再生中に音声調整画面４１をテレビ４０に表示されるコンテンツの映像に重ねて表示させる制御を行うように制御部７を構成する。これにより、ユーザは、テレビ４０に表示されるコンテンツの映像を継続して見ながら、音声調整画面４１を用いて各スピーカの音声調整を行うことができる。
【００４３】
また、本実施形態では、ユーザの操作に基づいて、コンテンツの再生中に５．１ｃｈのサラウンド音声に対応した複数のスピーカ３１〜３６の音声を個別に調整するように制御部７を構成する。これにより、ユーザがコンテンツの音声を５．１ｃｈのサラウンド音声で聞く場合でも、コンテンツ毎にユーザの好みにより適した音声調整を行うことができる。
【００４４】
また、本実施形態では、ユーザの操作に基づいて、コンテンツの再生中に複数のスピーカ３１〜３６の音量を個別に調整するように制御部７を構成する。これにより、ユーザは、コンテンツの音声を聞きながら各スピーカの音量を個別に調整して再生中のコンテンツにより適した音声にすることができる。
【００４５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４６】
たとえば、上記実施形態では、本発明を音響装置としてのＡＶレシーバに適用する例を示したが、本発明はこれに限られない。複数のスピーカに対して音声信号を出力可能な構成であれば、本発明を、コンテンツの再生機能を備えたプレーヤやＡＶアンプなど、ＡＶレシーバ以外の音響装置に適用してもよい。
【００４７】
また、上記実施形態では、コンテンツの一例として、ＡＶレシーバ（音響装置）に接続されたＢＤプレーヤにより再生されるコンテンツを示したが、本発明はこれに限られない。本発明では、音響装置により再生されるコンテンツであってもよいし、テレビにより受信されて再生される放送コンテンツであってもよい。また、映像情報および音声情報の両方を含むコンテンツに限らず、映像情報を含まない音声コンテンツであってもよい。
【００４８】
また、上記実施形態では、本発明の音声調整画面をＡＶレシーバ（音響装置）に接続されるテレビに表示させる例を示したが、本発明はこれに限られない。本発明では、音声調整画面を音響装置自体に設けられた表示部に表示させてもよい。
【００４９】
また、上記実施形態では、本発明の音声調整画面をコンテンツの映像に重ねてＯＳＤ表示させる例を示したが、本発明はこれに限られない。本発明では、音声調整画面をコンテンツの映像に並べて表示させてもよいし、コンテンツの映像を表示することなく音声調整画面を表示させてもよい。
【００５０】
また、上記実施形態では、複数のスピーカの音量を個別に調整する例を示したが、本発明はこれに限られない。本発明では、たとえば、スピーカの出力タイミングを調整するためのディレイタイム（ｄｅｌａｙ  ｔｉｍｅ）や音質など、複数のスピーカの音声として音量以外の項目を個別に調整してもよい。また、複数の項目を調整可能にしてもよい。
【００５１】
また、上記実施形態では、音声調整画面において各スピーカの音量を数値で表示する例を示したが、本発明はこれに限られない。本発明では、図９に示すように、各スピーカの音量をゲージで表示するなど、数値以外の態様で表示してもよい。
【００５２】
また、上記実施形態では、５．１ｃｈのサラウンド音声に対応した構成の例を示したが、本発明はこれに限られない。本発明では、複数のスピーカに対応した構成であれば、５．１ｃｈ以外のチャンネルに対応した構成であってもよい。この場合、ステレオ（２．０ｃｈ）よりも多いチャンネル（２．１ｃｈ以上）を有するサラウンド音声に対応した構成が好ましい。
【００５３】
また、上記実施形態では、音声調整処理のステップＳ８、Ｓ１２、Ｓ１６、Ｓ２０、Ｓ２４、Ｓ２８およびＳ３２の後、スピーカボタンが押下されない場合に、音声調整指示の有無を判断するステップに戻る例を示したが、本発明はこれに限られない。本発明では、音声調整処理のステップＳ８、Ｓ１２、Ｓ１６、Ｓ２０、Ｓ２４、Ｓ２８およびＳ３２の後、スピーカボタンが押下されない場合に、対応するアイコンが強調表示されてからユーザの操作がない状態が所定時間（たとえば、５秒）経過したか否かを判断するようにしてもよい。この場合、所定時間経過するまでは音声調整指示の有無を判断するステップに戻り、ユーザの操作がない状態が所定時間継続した場合には、そのまま音声調整処理を終了する。
【００５４】
また、上記実施形態では、説明の便宜上、本発明の制御部の処理を処理フローに沿って順番に処理を行うフロー駆動型のフローチャートを用いて説明したが、本発明はこれに限られない。本発明では、制御部の処理動作を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００５５】
３  スピーカ端子部（音声出力部）
７  制御部
１０  ＡＶレシーバ（音響装置）
３１〜３６  スピーカ
４０  テレビ（表示部、表示装置）
５０  リモコン
１００  音響システム
【図１】
2013183275.tif 000003
【図２】
2013183275.tif 000004
【図３】
2013183275.tif 000005
【図４】
2013183275.tif 000006
【図５】
2013183275.tif 000007
【図６】
2013183275.tif 000008
【図７】
2013183275.tif 000009
【図８】
2013183275.tif 000010
【図９】
2013183275.tif 000011